(57)【要約】【課題】ＬＣＲを外付け可能で、汎用性が高く容量、抵抗及びインダクタンスを自由に調整することができ、さらなる高周波領域での要求に耐え得るバイポーラトランジスタ装置を提供する。【解決手段】半導体素子搭載部と、前記半導体素子搭載部の相対向する２辺に沿って配列された複数のリードとを具備したリードフレームと、バイポーラトランジスタと、前記バイポーラトランジスタに接続された回路要素とが搭載され、高周波信号入力端子を構成する入力パッドと高周波信号出力端子を構成する出力パッドとが相対向する辺上に、相対向するように配列され、前記半導体素子搭載部に搭載されると共に電気的接続のなされた半導体素子と、前記素子搭載部に搭載された前記半導体素子を覆うとともに、前記リードの先端を導出するように形成された封止体とを備え、前記半導体素子搭載部と前記リードのひとつとが一体的に形成されたことを特徴とする。【選択図】図１
2008211134.tif 000002
【特許請求の範囲】
【請求項１】
半導体素子搭載部と、前記半導体素子搭載部の相対向する２辺に沿って配列された複数のリードとを具備したリードフレームと、
バイポーラトランジスタと、前記バイポーラトランジスタに接続された回路要素とが搭載され、高周波信号入力端子を構成する入力パッドと高周波信号出力端子を構成する出力パッドとが相対向する辺上に、相対向するように配列され、前記半導体素子搭載部に搭載されると共に電気的接続のなされた半導体素子と、
前記素子搭載部に搭載された前記半導体素子を覆うとともに、前記リードの先端を導出するように形成された封止体とを備え、
前記半導体素子搭載部と前記リードのひとつとが一体的に形成されたバイポーラトランジスタ装置。
【請求項２】
請求項１に記載のバイポーラトランジスタ装置であって、
前記回路要素は、温度補償回路および増幅回路であるバイポーラトランジスタ装置。
【請求項３】
請求項２に記載のバイポーラトランジスタ装置であって、
前記リードは前記半導体素子搭載部の１辺に沿って配列された第１乃至第３のリードと、前記１辺に相対向する辺に沿って前記第１乃至第３のリードに対応して配列された第４乃至第６のリードとを含むバイポーラトランジスタ装置。
【請求項４】
請求項３に記載のバイポーラトランジスタ装置であって、
前記半導体素子搭載部に接続された前記リードは接地電位に接続されるリードであるバイポーラトランジスタ装置。
【請求項５】
請求項１に記載のバイポーラトランジスタ装置であって、
前記半導体素子は、第１の辺に沿って、接地端子、エミッタ端子、高周波信号入力端子が順次配列されると共に、前記第１の辺に対向する第２の辺に沿って、前記接地端子に相対向して配置され抵抗を接続可能な制御端子と、電源端子と、高周波信号出力端子とが順次配列され、
前記リードフレームの前記第１乃至第６のリードにそれぞれ接続されたバイポーラトランジスタ装置。
【発明の詳細な説明】
【技術分野】
【０００１】
本発明はバイポーラトランジスタ装置にかかり、特に高周波バイポーラトランジスタの実装構造に関するものである。
【背景技術】
【０００２】
近年、携帯電話に代表される移動体通信機器の高性能化や小型化、さらには製品の需要サイクルの短期化が進む中、モジュール部品等に搭載されるトランジスタには、高性能化・小型化・低コスト化への要求はいうまでもなく、フレキシブルな容量調整、短期間での開発および供給への要求が高まっている。
【０００３】
これらの通信装置において極めて重要な役割を果たす部品の一つにＶＣＯ（Ｖｏｌｔａｇｅ  Ｃｏｎｔｒｏｌｌｅｄ  Ｏｓｃｉｌｌａｔｏｒ：電圧制御型発振回路）モジュールがある。これは一般に、共振回路・発振回路・バッファ回路からなり、通信に必要な搬送波の高周波信号を、温度変化などの環境変化に対しても安定に提供する回路である。これらの回路は例えば、印加電圧Ｖｔにより容量値が変化する可変容量やインダクタなどを備えた共振回路と、上記共振回路の共振周波数に応じた発振周波数をもつ信号を生成する発振回路と、この発振回路で得られた発振信号を増幅するバッファ回路などを具備している。
【０００４】
ここで、発振回路に注目すると、バイポーラトランジスタＴ１に接続されるバランス容量が必要となる。これらの容量は、元来発振周波数の微調整や出力の調整、さらには電源電圧変動や発振回路の重要な要素となるＣ／Ｎ（位相雑音）特性の調整に用いられている。
【０００５】
これらの回路は、携帯電話では、小型化を企図してディスクリート素子をモジュール化したり、ＩＣ化したりしたものが用いられている。
【０００６】
しかしながら上記構成では、バランス容量がトランジスタ側でなく、発振回路側に外付け回路として形成されるため、回路Ｑ（インダクタンスもしくはキャパシタンス成分とレジスタンス成分の比）が低くなり、結果として発振回路のＣ／Ｎが劣化するという課題があった。
【０００７】
そこで本発明者らは、このバランス容量をディスクリートデバイスであるバイポーラトランジスタ上に、ＩＣのように製造コストを増加させることなく取り込み、高い高周波性能をもつバイポーラトランジスタを提案している（特許文献１）。
このバイポーラトランジスタは、真性半導体領域から絶縁膜上まで引き出された引出配線に接続するワイヤボンディング用のパッドに接続するように容量調整用配線を形成することにより、基板と容量調整用配線との間に形成される容量を、バランス容量として用いるものである。
上述したように、小型化、高周波数化への要求を満たすための手段の１つとして、１枚の半導体基板上で必要とする容量を、配線面積を変更することで、自由にコントロール調整することができるバイポーラトランジスタを実現している。
【０００８】
【特許文献１】特開２００４−８７５３２号公報
【発明の開示】
【発明が解決しようとする課題】
【０００９】
しかしながら、近年、携帯電話用ＶＣＯモジュールの周波数帯は８００ＭＨｚ〜６．０ＧＨｚの高周波数帯となってきており、このような高周波数帯域では、コンダクタンスＣ、レジスタンスＲ、インダクタンスＬ全てのマッチングが重要となる。
【００１０】
このため、携帯電話用ＶＣＯモジュールにおいても、著しく小型化が進む中で、高度の高周波特性が求められるようになってきており、コレクタ（Ｃ）―ベース（Ｂ）間容量を調整するために、ベース配線の容量調整用配線の配線面積を調整すると、ベース（Ｂ）―エミッタ（Ｅ）間容量も変化することになり、コンダクタンスＣ、レジスタンスＲ、インダクタンスＬ全てのマッチングが重要となるような高周波数帯域では、調整が極めて困難な状態となっている。
【００１１】
また少量多品種化に備えて、種々の仕様に対応しうるモジュールが必要であるが、ＬＣＲ全てをＩＣ化してしまうと汎用性がないという問題もある。
さらにまた、ＬＣＲすべてをＩＣ化すると、ＤＣ検査ができなくなるという問題もある。
【００１２】
また、パッケージの小型化も進んでおり、リード間の間隔も小さくなっているため、外付け回路としてＬＣＲを付加する場合には、端子の位置によって、ノイズの原因となり易い。このため、実装に際しては端子配列も深刻な問題となっている。
【００１３】
本発明は、前記実情に鑑みてなされたもので、ＬＣＲを外付け可能で、汎用性が高く容量、抵抗及びインダクタンスを自由に調整することができ、さらなる高周波領域での要求に耐え得るバイポーラトランジスタを提供することを目的とする。
また微細化の可能なバイポーラトランジスタの実装構造を提供することを目的とする。
【課題を解決するための手段】
【００１４】
上記目的を達成するために、本発明のバイポーラトランジスタ装置は、半導体素子搭載部と、前記半導体素子搭載部の相対向する２辺に沿って配列された複数のリードとを具備したリードフレームと、バイポーラトランジスタと、前記バイポーラトランジスタに接続された回路要素とが搭載され、高周波信号入力端子を構成する入力パッドと高周波信号出力端子を構成する出力パッドとが相対向する辺上に、相対向するように配列され、前記半導体素子搭載部に搭載されると共に電気的接続のなされた半導体素子と、前記素子搭載部に搭載された前記半導体素子を覆うとともに、前記リードの先端を導出するように形成された封止体とを備え、前記半導体素子搭載部と前記リードのひとつとが一体的に形成されたことを特徴とする。
この構成によれば、半導体素子搭載部とリードの1つが一体形成されており、小型化および配線抵抗の低減をはかることができ、従ってパッケージ全体としての小型化及びノイズの低減をはかることができる。また入力端子と出力端子が相対向する位置に設けられており、信号の干渉を低減しノイズの低減を図りつつも配線抵抗を低減し高速化をはかることができる。また、ＬＣＲを外付け可能で、汎用性が高く容量、抵抗及びインダクタンスを自由に調整することができ、さらなる高周波領域での要求に耐え得るものとなる。
【００１５】
また本発明は、上記バイポーラトランジスタ装置において、前記回路要素は、温度補償回路および増幅回路であるものを含む。
この構成により、温度変化による出力のばらつきを低減することができ、安定した出力を得ることができる。
【００１６】
また本発明は、上記バイポーラトランジスタ装置において、前記リードは前記半導体素子搭載部の１辺に沿って配列された第１乃至第３のリードと、前記１辺に相対向する辺に沿って前記第１乃至第３のリードに対応して配列された第４乃至第６のリードとを含む。
この構成により、既成の汎用型リードフレームを用いて実装することができ、コストの低減をはかることができる。
【００１７】
また本発明は、上記バイポーラトランジスタ装置において、前記半導体素子搭載部に接続された前記リードは接地電位に接続されるリードであるものを含む。
この構成により、安定した出力を得ることができる。
【００１８】
また本発明は、上記バイポーラトランジスタ装置において、前記半導体素子は、第１の辺に沿って、接地端子、エミッタ端子、高周波信号入力端子が順次配列されると共に、前記第１の辺に対向する第２の辺に沿って、前記接地端子に相対向して配置され、抵抗を接続可能な制御端子と、電源端子と、高周波信号出力端子とが順次配列され、前記リードフレームの前記第１乃至第６のリードにそれぞれ接続されたものを含む。
この構成によれば、さらなる微細化に際しても低ノイズで高速特性を持つバイポーラトランジスタ装置を提供することができる。
【発明の効果】
【００１９】
以上詳述したように、本発明は小型化および配線抵抗の低減をはかることができ、従ってパッケージ全体としての小型化及びノイズの低減をはかることができる。また入力端子と出力端子との信号の干渉を低減しノイズの低減を図りつつも配線抵抗を低減し高速化をはかることができる。また、ＬＣＲを外付け可能で、汎用性が高く容量、抵抗及びインダクタンスを自由に調整することができ、さらなる高周波領域での要求に耐え得る優れたバイポーラトランジスタ装置を実現するものである。
【発明を実施するための最良の形態】
【００２０】
以下、本発明の実施の形態について、図面を参照しつつ詳細に説明する。
（実施の形態）
図１は本発明の実施の形態のバイポーラトランジスタ装置を上面から見た構成図、図２はこのバイポーラトランジスタのリードフレームを示す概念図、図３（ａ）乃至（ｄ）はこのバイポーラトランジスタの外観を示す上面図、断面図、側面図及び下面図、図４はこのバイポーラトランジスタ装置の等価回路図である。このバイポーラトランジスタ装置は、半導体素子搭載部１０と、前記半導体素子搭載部１０の相対向する２辺に沿って配列された第１乃至第６のリード１１，１２，１３，１４，１５、１６とを具備したリードフレームの、半導体素子搭載部１０にバイポーラトランジスタを搭載した素子チップ７が搭載されている。この素子チップ７には、バイポーラトランジスタと、このバイポーラトランジスタに接続された回路要素としての、温度補償回路８と、増幅回路９とが搭載されている。そしてこの素子チップ７の周縁には、第１の辺に沿って、第１の端子としての接地端子１、第２の端子としてのエミッタ端子２、高周波信号入力端子３が順次配列されると共に、前記第１の辺に対向する第２の辺に沿って、前記接地端子に相対向して配置された第３の端子としての入力端子、抵抗を接続可能な第４の端子としての制御端子と、第５の端子としての電源端子と、第６の端子としての高周波信号出力端子とが順次配列され、高周波信号入力端子と高周波信号出力端子とが相対向する辺上に、相対向するように配列されてなるものである。そして半導体素子及び第１乃至第６のリードを、先端を導出するように被覆する封止体１７とを備えている。
【００２１】
すなわち、このバイポーラトランジスタは、ＧａＡｓなどの化合物半導体を用いてヘテロ接合バイポーラトランジスタ（ＨＢＴ）を構成するもので半導体基板内に、バイポーラトランジスタを構成するトランジスタ動作領域と、上記回路要素としての温度補償回路８と、増幅回路９とが集積化されており、このトランジスタ動作領域から絶縁膜を貫通するエミッタ引出配線およびベース引出配線と、上記引出配線に接続され、組立時にワイヤボンディングが施される第１乃至第６のパッド１〜６とを具備している。この半導体基板はコレクタ領域を構成しており、コレクタ電極は半導体基板の裏面に形成される。すなわちこの構造は基板コレクタ構造をなすものである。
【００２２】
実装に際してはリードフレームの半導体素子搭載部１０に素子チップ７をダイボンディングにより接続し、第２乃至第６の端子と第２乃至第６のリードの先端とをワイヤボンディングにより電気的に接続したのち、樹脂封止により封止体１７を形成し、図示しないサポートバー、サイドバーを切除し、図３（ａ）乃至（ｄ）に示したようなバイポーラトランジスタ装置が完成する。
【００２３】
このバイポーラトランジスタ装置を用いて、図１に示すように、第１のリード１１を接地電位に接続する。また第２のリード１２をコンダクタンスＬ１を介して接地する。第３のリード１３を容量素子Ｃ１を介して高周波信号に接続する。そして第４のリード１４を容量素子Ｃ２を介して出力とする。また第５のリード１５を電源Ｖｃｃに接続すると共に容量素子Ｃ３を介して接地する。また第４のリード１４と第５のリードの間にはインダクタンスＬ２が挿入される。また第６のリードは抵抗Ｒを介して接地される。
【００２４】
以上のように、本実施の形態によれば、ＬＣＲが容易に調整可能であるため、発振特性を高精度に調整することができ、低ノイズで出力の安定したバイポーラトランジスタ装置を提供することができる。
このバイポーラトランジスタ装置を発振回路に用いる場合、バイポーラトランジスタに接続されるバランス容量が必要となる。これらの容量は、元来発振周波数の微調整や出力の調整、さらには電源電圧変動や発振回路の重要な要素となるＣ／Ｎ（位相雑音）特性の調整に用いられているが、この容量を自在に調整することができ、高品質の発振回路を提供することが可能となる。
【００２５】
なお前記実施の形態では、リードが６本のリードフレームを用いたが、これに限定されることなく、複数のリードを有するリードフレームにおいて適用可能である。
【００２６】
また、前記実施の形態では、ワイヤボンディングを用いる例について説明したが、ワイヤボンディングに限定されることなくフリップチップなどダイレクトボンディングを用いた場合にも適用可能であることはいうまでもない。
【００２７】
さらにまた、前記実施の形態では、化合物半導体基板を用いたＨＢＴについて説明したが、シリコン基板を用いたバイポーラトランジスタにも適用可能である。
【産業上の利用可能性】
【００２８】
本発明のバイポーラトランジスタ装置によれば、ＬＣＲを外付け可能で汎用性が高く、ＬＣＲを自由に調整することができ、またＤＣ検査も容易に実行できることから、８００ＭＨｚ〜６．０ＧＨｚの高周波数帯域をもつ携帯電話用ＶＣＯモジュールなどに適用可能である。
【図面の簡単な説明】
【００２９】
【図１】本発明の実施の形態のバイポーラトランジスタ装置を示す構成図
【図２】本発明の実施の形態のバイポーラトランジスタのリードフレームを示す図
【図３】本発明の実施の形態のバイポーラトランジスタ装置の外観図
【図４】本発明の実施の形態のバイポーラトランジスタを用いた装置を示す等価回路図
【符号の説明】
【００３０】
１〜６  パッド
７  半導体素子チップ
８  絶縁膜
９  エミッタ引出配線
１０  半導体素子搭載部
１１〜１６  リード
１７  封止体
【図１】
2008211134.tif 000003
【図２】
2008211134.tif 000004
【図３】
2008211134.tif 000005
【図４】
2008211134.tif 000006